(57)【要約】【課題】アクチュータを用いずとも、落下する塵芥等のばら物の山積みを抑制して、多くのばら物を貯留できるようにする。【解決手段】ばら物貯留設備１は、塵芥２の落下箇所に向かって上りに傾斜するとともに、傾動可能に設けられた受け板３０と、受け板３０を傾斜した状態に支持するとともに、受け板３０上の塵芥２の重量の増加に伴い受け板３０の傾斜角を減少させるジャッキ２０と、を備える。この受け板３０が凹状の収容部１０に収容されており、収容部１０の内壁面１２が受け板３０の下端部３１から立ち上がった状態に設けられている。遮蔽シート４０が、受け板３０の一端３１以外の縁部と収容部１０の開口の縁部との間に連結されている。【選択図】図１
2018158800.tif 000002
【特許請求の範囲】
【請求項１】
ばら物の落下箇所に向かって上りに傾斜するとともに、傾動可能に設けられた受け部と、
前記受け部を傾斜した状態に支持するとともに、前記受け部上のばら物の重量の増加に伴い前記受け部の傾斜角を減少させる支持部と、を備えるばら物貯留設備。
【請求項２】
前記受け部の傾斜した下端から立ち上がった状態に設けられた堰止部を更に備える請求項１に記載のばら物貯留設備。
【請求項３】
前記受け部を収容して、上方に向けて開口した収容部と、
前記下端以外の前記受け部の縁と前記収容部の開口の縁との間に連結された可撓性の遮蔽シートと、を更に備える請求項１又は２に記載のばら物貯留設備。
【発明の詳細な説明】
【技術分野】
【０００１】
本発明は、塵芥等のばら物を貯留するばら物貯留設備に関する。
【背景技術】
【０００２】
発電所の取水口にはスクリーンが設置されているので、水中に分散した塵芥がスクリーンに捕捉されて、取水口に侵入しない。また、スクリーンの目詰まりを防止するべく、スクリーンに捕捉された塵芥を自動的に掻き取る除去装置が開発されている（例えば、特許文献１参照）。
【０００３】
除去した塵芥を所定の集積場に貯留すべく、除去装置と集積場との間にベルトコンベアを設置することが一般的である。この場合、ベルトコンベアの終端まで搬送された塵芥が自然落下するので、落下した塵芥がベルトコンベアの終端の下方において山積みになる。そのため、塵芥の山積みの頂部がベルトコンベアの終端に至るまでしか、塵芥を貯留することができない。
【０００４】
そのような塵芥の山積みを解消するために、例えば特許文献２に記載の技術が開発されている。特許文献２の記載によれば、水平面に対して傾斜した積込み板がレールによって水平方向に平行移動可能に設けられ、その積込み板がアクチュエータによって往復駆動される。
【先行技術文献】
【特許文献】
【０００５】
【特許文献１】特許第３５７７６７８号公報
【特許文献２】実開平０５−０４９７３２号公報
【発明の概要】
【発明が解決しようとする課題】
【０００６】
ところが、特許文献２に記載の技術はアクチュエータを用いるので、複雑な構造となる上、アクチュエータの定期的な点検及び修繕を高頻度で行う必要がある。
そこで、本発明は、上記事情に鑑みてなされたものである。その発明の目的は、アクチュータを用いずとも、落下する塵芥等のばら物の山積みを解消して、多くのばら物を貯留できるようにすることである。
【課題を解決するための手段】
【０００７】
以上の課題を解決するための主たる発明は、ばら物の落下箇所に向かって上りに傾斜するとともに、傾動可能に設けられた受け部と、前記受け部を傾斜した状態に支持するとともに、前記受け部上のばら物の重量の増加に伴い前記受け部の傾斜角を減少させる支持部と、を備えるばら物貯留設備である。
【０００８】
受け部がばら物の落下箇所に向かって上りに傾斜した状態が支持部によって支持されるので、受け部に落下したばら物が受け部上において滑り落ちる。それゆえ、ばら物が落下箇所で山積みにならない。
また、支持部はアクチュエータではなく、受け部上のばら物の重量増加に伴って受け部の傾斜角を減少させるものである。
受け部の傾斜角が小さくなるように受け部が倒れると、受け部の上のスペースが広がる。それゆえ、受け部の上のばら物の貯留可能量が増加する。
【発明の効果】
【０００９】
本発明によれば、アクチュエータを用いずとも、落下するばら物が山積みにならない上、受け部上に多くのばら物を貯留することができる。
【図面の簡単な説明】
【００１０】
【図１】図１は、ばら物貯留設備を一部破断した状態で横から見て示した側面図である。
【図２】図２は、ばら物貯留設備に貯留したばら物の重量が増加した状態を示した側面図である。
【発明を実施するための形態】
【００１１】
以下、図面を参照して、本発明の実施形態について説明する。但し、以下に述べる実施形態には、本発明を実施するために技術的に好ましい種々の限定が付されているが、本発明の範囲を以下の実施形態及び図示例に限定するものではない。
【００１２】
図１は、ばら物貯留設備１を一部破断した状態で示した側面図である。
ばら物貯留設備１は、ばら物である塵芥２を集積する集積場に設置されている。ここで、この塵芥２は、発電所の取水口のスクリーンからレーキ等によって分離されて、ベルトコンベア９によって集積場まで搬送されて、ばら物貯留設備１に貯留される。
【００１３】
集積場には、上方に向かって開口した凹状の収容部１０が構築されている。収容部１０は、地盤に掘削された穴であってもよいし、上面が開口した箱体の内部空間であってもよいし、地盤、基礎又は床版等の上に立設された壁によって囲われた空間であってもよい。
【００１４】
収容部１０の底面（床面）１１から内壁面（堰止部）１２がほぼ垂直に立ち上がっており、底面１１と内壁面１２とによって挟まれる入隅１３が形成されている。内壁面１２の反対側においても内壁面１４が底面１１からほぼ垂直に立ち上がっており、内壁面１２と内壁面１４が互いに対向する。
【００１５】
収容部１０の底面１１には、例えばエアダンパ、オイルダンパ、スプリング若しくは空気バネ又はこれらの組合せからなるジャッキ（支持部）２０が起立した状態に設置されている。ジャッキ２０の一部が床に埋設され、ジャッキ２０の他の一部が底面１１から上方に突出している。このジャッキ２０に荷重が作用していない状態では、ジャッキ２０が伸長した状態にある。ジャッキ２０に対する荷重が増大すると、ジャッキ２０が収縮する。ここで、ジャッキ２０は、能動的に伸縮するアクチュエータではなく、荷重の増減により受動的に伸縮するものである。
【００１６】
収容部１０内には平板状の受け板（受け部）３０が設置されている。受け板３０の一端３１が入隅１３に配置され、他端３２が内壁面１４寄りに配されており、受け板３０が内壁面１２から内壁面１４に向かって上りに傾斜する。受け板３０の下にジャッキ２０が設けられ、伸長したジャッキ２０が受け板３０を下から支持する。これにより、受け板３０が水平面に対して傾斜した状態に維持される。受け板３０はジャッキ２０に載置されて接触した状態であり、ジャッキ２０の先端は受け板３０の下面に対して摺動可能である。
【００１７】
受け板３０の一端（下端）３１が入隅１３に配置された状態で、その一端３１が内壁面１２に受けられている。これにより、受け板３０が収容部１０の底面１１及び水平面に対して傾斜していても、受け板３０の一端３１が底面１１に対して滑らず、受け板３０がジャッキ２０によって支持された状態が保たれる。更に、受け板３０は、一端３１を支点として傾動可能となっている。なお、受け板３０の一端３１が図１の紙面に垂直であり且つ水平な回転軸によって入隅１３に回転可能に連結されることによって、受け板３０が一端３１を支点として傾動可能となっていてもよい。
【００１８】
受け板３０の一端３１以外の縁部と収容部１０の内周壁（但し、内壁面１２以外）との間の隙間は、遮蔽シート４０によって閉塞されている。より具体的には、遮蔽シート４０は、受け板３０の一端３１以外の縁部と収容部１０の開口の縁部（但し、内壁面１２の上端以外）との間に連結されている。遮蔽シート４０は可撓性を有し、更に伸縮性を有していてもよい。
【００１９】
ベルトコンベア９は収容部１０の外から収容部１０の開口の上にかけて設置されており、ベルトコンベア９の終端９ｂがベルト９ａの折り返し部となっている。ベルトコンベア９の終端９ｂは、受け板３０の上方に、より具体的には受け板３０の他端３２寄りの上方に配置されている。ベルトコンベア９の終端９ｂの下方は塵芥２の落下箇所であり、受け板３０は内壁面１２からその落下箇所に向かって上りに傾斜する。
【００２０】
ばら物貯留設備１の作用・動作について説明する。
受け板３０上に塵芥２が載置されていない状態であったり、受け板３０上に載置された塵芥２が低重量であったりすると、ジャッキ２０が伸長している。そのため、受け板３０が収容部１０の底面１１及び水平面に対して傾斜しており、その傾斜角は大きい。
【００２１】
塵芥２は、矢印Ａに示すようにベルトコンベア９によってベルトコンベア９の終端９ｂまで搬送された後に、矢印Ｂに示すように終端９ｂから受け板３０上に自然落下する。受け板３０上に落下した塵芥２は、矢印Ｃに示すように、その自重によって受け板３０上を内壁面１２へ移動することによって、均される。そのため、ベルトコンベア９の終端９ｂの下において、塵芥２が山積みになるのを防止することができる。
【００２２】
また、受け板３０上の塵芥２は内壁面１２によって堰き止められる。それゆえ、塵芥２がベルトコンベア９によって断続的又は連続的に継続して搬送されると、受け板３０上において内壁面１２側から塵芥２が蓄積される。
【００２３】
受け板３０上の塵芥２の重量が増加するのに伴って、図２に示すようにジャッキ２０が収縮して、受け板３０はその傾斜角が小さくなるように傾動する。これにより、受け板３０上の空間の容積が広がり、受け板３０上の塵芥２の貯留可能量が増加する。
【００２４】
ここで、ジャッキ２０の伸縮動作が無段階的（弾性的）である。つまり、受け板３０上の塵芥２の重量の漸増するにつれて、ジャッキ２０の伸長長さが漸減するとともに、受け板３０の傾斜角が漸減する。
或いは、ジャッキ２０の伸縮動作が二段階的であってもよい。つまり、受け板３０上の塵芥２の重量が所定閾値以下である場合には、ジャッキ２０が伸長した状態に維持されるとともに、受け板３０の傾斜角が大きく維持されるのに対して、受け板３０上の塵芥２の重量が所定閾値を超える場合には、ジャッキ２０が収縮した状態に維持されるとともに、倒伏した受け板３０の傾斜角が小さく又はほぼ水平に維持されるものとしてもよい。
【００２５】
受け板３０が倒れた後も継続して、塵芥２がベルトコンベア９によって搬送される。そうすると、ベルトコンベア９の終端９ｂから落下した塵芥２が蓄積されていく。
【００２６】
以上の実施の形態によれば、次のような効果が得られる。
（１）  受け板３０上の塵芥２が低重量である場合には、受け板３０の傾斜角が大きい。それゆえ、ベルトコンベア９の終端９ｂから受け板３０上に落下した塵芥２が落下箇所から受け板３０上を移動する。従って、ベルトコンベア９の終端９ｂの下方において塵芥２が山積みになり難い。
【００２７】
（２）  受け板３０の傾斜を利用して、ベルトコンベア９から落下した塵芥２が自重により落下箇所から移動する。それゆえ、落下した塵芥２をレーキ等によって掻き払わずに済む上、落下した塵芥２中のガラスやビン等の破損も抑制できる。
【００２８】
（３）  受け板３０上の塵芥２が高重量になると、受け板３０の傾斜角が小さくなって、受け板３０上のスペースが広がる。それゆえ、多くの塵芥２を受け板３０上に貯留することができるとともに、収容部１０を塵芥２の貯留スペースとして最大限活用することができる。また、落下して貯まった塵芥２がベルトコンベア９に到達するまでに要する時間が長くなり、ベルトコンベア９の稼働時間を長く取ることができる。
【００２９】
（４）  ジャッキ２０はアクチュエータではなく、塵芥２の重量に変化に伴い受動的に伸縮するものである。それゆえ、ばら物貯留設備１がシンプルな構造である。また、ばら物貯留設備１の可動部もジャッキ２０及び受け板３０に限られているので、ばら物貯留設備１の寿命が長い上、メンテナンスの必要性も低い。
【００３０】
（５）  遮蔽シート４０が受け板３０の一端３１以外の縁部と、収容部１０の内壁面１２の上端以外の開口との間に連結されているので、受け板３０の下方への塵芥２の侵入を抑制できる。
【００３１】
以上、本発明を実施するための形態について説明したが、上記実施形態は本発明の理解を容易にするためのものであり、本発明を限定して解釈するためのものではない。また、本発明はその趣旨を逸脱することなく変更、改良され得るとともに、本発明にはその等価物も含まれる。以上の実施形態からの変更点について以下に説明する。以下に述べる変更点は可能な限り組み合わせて適用してもよい。
【００３２】
（１）  上記実施形態では、発電所の取水口に漂流する塵芥２をばら物貯留設備１に貯留したが、他の塵芥をばら物貯留設備１に集積してもよい。また、ばら物貯留設備１に貯留するばら物は砂利、土砂又は粉体等であってもよい。
【００３３】
（２）  上記実施形態では、支持部が、受け板３０の下に配置されて、受け板３０をその下から支持するジャッキ２０であった。それに対して、支持部が受け板３０を吊り下げるように支持する懸下式であってもよい。
【００３４】
（３）  上記実施形態では、受け板３０が平板状であったが、内壁面１２から内壁面１４に向かう方向に見て山折り状に曲げられた折り板であってもよい。この場合、ジャッキ２０が伸長した状態では、折り板である受け板３０の稜線が内壁面１２側から内壁面１４側へ上りに傾斜しており、その稜線の上方にベルトコンベア９の終端９ｂが配置されている。
【符号の説明】
【００３５】
１…ばら物貯留設備，  ２…塵芥（ばら物），  １０…収容部，  １１…底面，  １２…内壁面（堰止部），  １３…入隅，  １４…内壁面，  ２０…ジャッキ（支持部），  ３０…受け板（受け部），  ３１…一端（受け部の下端），  ３２…他端（受け部の上端），
【図１】
2018158800.tif 000003
【図２】
2018158800.tif 000004